(57)【要約】所与のプライマリー・ルーム（１０１）において生活領域を形作るルーム編制システム（１００）又は方法に関する。一実施形態において、例えば病院のプライマリー・ルームは、別個のコンパートメント（Ａ）を生成するよう天井（１０３）から下方に床（１０２）まで延在可能である複数の制御可能なカーテン（１１０）を設けられてよい。カーテン（１１０）の展開及び格納は、プライマリー・ルームの現在の又は意図された使用を示す検出信号に基づきコントローラ（１４０）によって制御される。例えば、重量センサ（１３０）が、プライマリー・ルームの特定の位置での人の存在を示す場合は、プライバシーを提供するコンパートメントが、関連するカーテン（１１０）を展開することによって、その人の周囲に作られ得る。
2016529422.tif 000002
【特許請求の範囲】
【請求項１】
プライマリー・ルームにおいて生活領域を形作るルーム編制システムであって、
各コンパートメントが人によって使用可能であるように前記プライマリー・ルームを少なくとも２つのコンパートメントに細分する展開状態と、格納状態との間で制御可能な少なくとも１つのカーテンと、
前記プライマリー・ルームの使用の状態に関する検出信号を供給する少なくとも１つのセンサと、
前記少なくとも１つのセンサの前記検出信号に応じて前記少なくとも１つのカーテンを制御するコントローラと
を有するルーム編制システム。
【請求項２】
プライマリー・ルームにおいて生活領域を形作る方法であって、
前記プライマリー・ルームの使用の状態を検知するステップと、
前記検知された使用の状態に応じて少なくとも１つのカーテンの展開及び格納を制御するステップと
を有し、
前記少なくとも１つのカーテンは、各コンパートメントが人によって使用可能であるように展開されているときに前記プライマリー・ルームを少なくとも２つのコンパートメントに細分する、方法。
【請求項３】
前記カーテンは、当該カーテンの平行移動、回転、及び／又は伸長を可能にする取り付けシステムにおいて設けられる、
ことを特徴とする請求項１に記載のルーム編制システム又は請求項２に記載の方法。
【請求項４】
前記プライマリー・ルームの細分の異なるパターンを可能にする独立して制御可能な複数のカーテンがある、
ことを特徴とする請求項１に記載のルーム編制システム又は請求項２に記載の方法。
【請求項５】
少なくとも１つのコンパートメントは、１つ以上のカーテンによって完全に境をなされるよう生成され得る、
ことを特徴とする請求項１に記載のルーム編制システム又は請求項２に記載の方法。
【請求項６】
ユーザの又はオブジェクトの存在、身元、状態、位置、向き、動き、及び／又は活動が検出可能であるか、又は検出される、
ことを特徴とする請求項１に記載のルーム編制システム又は請求項２に記載の方法。
【請求項７】
前記センサは、重量センサ、近接センサ、生理的パラメータのセンサ、無線通信デバイス、ＲＦＩＤ読み取り器、及びカメラを含むグループから選択される少なくとも１つの要素を有する、
ことを特徴とする請求項１に記載のシステム。
【請求項８】
ユーザが前記カーテンの制御に意図的に作用することを可能にする入力デバイスが設けられる、
ことを特徴とする請求項１に記載のルーム編制システム又は請求項２に記載の方法。
【請求項９】
検出された前記使用の状態に応じて制御される光源、音響システム、画像投影システム、空調、芳香放出、及び触覚フィードバックのうちの１つが設けられる、
ことを特徴とする請求項１に記載のルーム編制システム又は請求項２に記載の方法。
【請求項１０】
ウェルネス及び／又はリラクゼーションの状態を提供する少なくとも１つのコンパートメントが提供され得る、
ことを特徴とする請求項１に記載のルーム編制システム又は請求項２に記載の方法。
【請求項１１】
住居環境における、病院における、職場における、展示会における、店舗における、レストランにおける、劇場における、又は他の公共空間における領域が形作られる、
ことを特徴とする請求項２に記載の方法。
【発明の詳細な説明】
【技術分野】
【０００１】
本発明は、例えば、住居環境、病院、又は店舗における所与のプライマリー・ルームにおいて生活領域を形作るルーム編制システム及び方法に関する。
【背景技術】
【０００２】
米国特許第５６８０８９３号明細書（特許文献１）には、例えばプールのような領域にプライバシーを提供するための化粧パネルが開示されている。パネルは、手動により設置され、手近にその場所に適応され得る。
【０００３】
米国特許出願公開第２００９／２５４２２２号明細書（特許文献２）には、電動窓おおいが、センサによって提供される天候条件に関する情報に応じて自動的に開閉されるシェードシステムが開示されている。更には、動きセンサが、ユーザの動きを検出するために設けられてよい。
【先行技術文献】
【特許文献】
【０００４】
【特許文献１】米国特許第５６８０８９３号明細書
【特許文献２】米国特許出願公開第２００９／２５４２２２号明細書
【発明の概要】
【０００５】
上記の背景技術に基づき、生活領域のより万能な編制を可能にする手段を有することが望ましい。
【０００６】
この目的は、請求項１に記載のルーム編制システム及び請求項２に記載の方法によって達成される。好適な実施形態は、従属請求項において開示される。
【０００７】
その第１の態様に従って、本発明の実施形態は、所与の部屋又は空間において生活領域を形作るルーム編制システムに関する。なお、所与の部屋又は空間は、以下で「プライマリー・ルーム」と呼ばれる。当該システムは、次の構成要素を有する：
・展開状態と格納状態との間で制御可能であって、展開されているときにプライマリー・ルームを少なくとも２つのコンパートメントに細分する少なくとも１つのカーテン。
・プライマリー・ルームの使用の状態に関する検出信号を供給する少なくとも１つのセンサ。
・センサの検出信号に応じてカーテンを制御するコントローラ。
【０００８】
当該システムによって形作られるプライマリー・ルームは、如何なる所与の屋外空間であっても、あるいは、望ましくは、例えば、建物内の部屋又はホールのような屋内空間であってよい。しばしば、当該編制システムは、プライマリー・ルームにおいて恒久的に設置される。なお、当該編制システムは、一時的に限られた用途を可能にするよう取り外し可能であってよいことも本発明によって包含される。
【０００９】
「コンパートメント」は、人によって使用可能であるプライマリー・ルームのサブ空間であるべきである。よって、コンパートメントは、少なくとも１人の人、望ましくは、例えば家具のようなオブジェクトを伴う人及び／又は一群の人を収容するほど十分に大きい。
【００１０】
語「カーテン」は、概して、１つのコンパートメントを隣のコンパートメントから物理的に分離することができる境界又は壁を提供することができる要素を表すべきである。カーテンは、通常は、隣どうしのコンパートメントを光学的に分離するよう不透明である。加えて、又は代替的に、それは、実質的に気密性及び／又は吸音性であってよい。硬質のカーテンも本発明によって包含され、一方、カーテンは、場所をとらない巻き上げを可能にするよう可撓性であることが好ましい。可撓性のあるカーテンは、例えば、布によって実現されてよい。
【００１１】
カーテンの展開及び格納は、通常は、垂直な、又は場合によりわずかに傾いた（約±３０度）方向において行われるが、水平なものを含む他の配置も可能である。カーテンは、通常は、プライマリー・ルームの天井に取り付けられ、そこから垂直方向において下に、望ましくは完全に床まで延在することができる。他のオプションには、プライマリー・ルームの床における又は側壁におけるカーテンの取り付けが挙げられ、そこからカーテンは必要に応じて室内に延在することができる。カーテンは２つの状態、すなわち、完全な格納及び完全な展開、しか前提とすることができないことが考えられるが、如何なる又は少なくともいくつかの中間状態も想定され得ることが好ましい（例えば、カーテンの部分的な展開）。
【００１２】
検出信号は、あらゆる方法及びモダリティにおいて、例えば、電気信号として、又はデジタル符号化データとして、実現されてよい。それらは、あらゆる的な方法において、例えば、有線又は無線により、センサからコントローラへ通信されてよい。
【００１３】
検出信号に関する又はそれにおいて符号化される「使用の状態」は、使用の現在の状態、又は望ましくは、使用の何らかの意図された（将来の）状態に対応してよい。プライベートな雰囲気におけるレクリエーション及びリラクゼーションは、典型的な使用の例である。
【００１４】
第２の態様に従って、本発明の実施形態は、プライマリー・ルームにおいて生活領域を形作る方法に関する。当該方法は、次のステップを有する：
・プライマリー・ルームの使用の状態を検知するステップ。
・検知された使用の状態に応じて少なくとも１つのカーテンの展開及び格納を制御するステップであって、カーテンは、展開されているときにプライマリー・ルームを少なくとも２つのコンパートメントに細分する、ステップ。
【００１５】
当該方法は、概して、上記の編制システムにより実行可能であるステップを有する。編制システムについて与えられた説明及び定義は、従って、当該方法にも同様に有効であり、その逆も同じである。
【００１６】
編制システム及び方法は、そのユーザのニーズに応じて、より大きい部屋の柔軟且つ自動の成形を可能にするという利点を備える。レクリエーションを探しているユーザは、プライマリー・ルームの特定の場所に行き、自身の周りのカーテンの展開を起動して、部屋のコンパートメント内でプライバシーを得ることができる。
【００１７】
以下では、本発明の様々の好適な実施形態が、上記の編制システム及び方法の両方に関して記載される。
【００１８】
１つの好適な実施形態では、カーテンは、当該カーテンの平行移動、回転、及び／又は伸長を可能にする取り付けシステムにおいて設けられる。カーテンの上記の「平行移動」及び「伸長」は、通常は、水平方向において、又は少なくとも幾らかの（望ましくは、支配的な）水平成分を有して起こり、一方、「回転」は、望ましくは、ある垂直軸に関して起こる。カーテンの平行移動、回転、又は伸長は、従って、通常は、プライマリー・ルームの平面図上の垂直投影において見られる場合に、カーテンの配置を変更する。一般に、カーテンの「伸長」は、その「展開／格納」と垂直に起こると考えられる。
【００１９】
カーテンの平行移動、回転又は伸長の上記の変更は、ユーザによって手動でもたらされるか、あるいは、少なくとも、ユーザの明示的な制御下で起こってよい。好適な実施形態では、それらの変更は、少なくとも部分的に、センサによって供給される検出信号に応じて自動的に制御されてよい。例えば、ユーザがプライマリー・ルーム内のある位置でリラックスしたいと望んでいることをセンサが示す場合は、１つ以上のカーテンは、それらがその位置を囲むまで当該位置まで（水平方向に）自動的に動かされ、（垂直方向に）展開された後、コンパートメントを周囲から分離することができる。
【００２０】
編制システム及び方法は、ただ１つのカーテンしか使用しなくてよい。望ましくは、しかしながら、記載される原理に従って、すなわち、検出信号に応じて、独立して制御可能な複数のカーテンがある。従って、「カーテン」について与えられている説明は、そのような複数のカーテンの夫々についても同様に有効である。複数のカーテンがある場合に、それらのうちの少なくとも２つは互いに平行に且つ近くに配置されてよく、それにより、それらは、異なる面（例えば、異なる装飾又は色）を有しながら、展開されているときにプライマリー・ルームの同じ細分を有効に提供する。
【００２１】
好適な実施形態では、複数のカーテンを用いて、それらのカーテンは、コンパートメントへのプライマリー・ルームの細分の異なるパターンを可能にする。カーテンは、例えば、夫々のセル壁が別々に且つ独立して制御可能である何らかのセルラー又はグリッドパターンにおいて配置されてよい。これは、夫々のセルが隣のセルから分離されたコンパートメントである構成と、隣どうしのセルが共同で１つのコンパートメントを形成するようつなぎ合わされる構成とを可能にする。
【００２２】
カーテンが展開されているときに生成されるコンパートメントは、その展開されたカーテンとは別の要素によって、例えば、プライマリー・ルームの常設の壁によって、少なくとも部分的に境をなされてよい。好適な実施形態では、少なくとも１つのコンパートメントは、しかしながら、１つ以上の制御可能なカーテンによって完全に境をなされるよう生成され得る。単一の展開されたカーテンによって完全に境をなされるコンパートメントは、例えば、そのカーテンが内側領域を取り囲む場合（例えば、円筒形の形状を有する場合）に、生成され得る。
【００２３】
プライマリー・ルームの使用の現在の又は意図された状態が検出される方法には多数の可能性がある。好適な実施形態では、ユーザの又はオブジェクトの存在、身元、状態、位置、向き、動き、及び／又は活動が検出され得る。
【００２４】
ユーザ又はオブジェクトの検出された存在又は身元は、使用の状態に直接に対応してよく、あるいは、使用のかかる状態は、それら推測され得る。プライマリー・ルームは、例えば、そこにいる人及び／又は中に入れられているオブジェクトの身元に基づき構成され得る。
【００２５】
状態の検出は、区別可能な状態を有するオブジェクト、又は人が考えられる場合に適用され得る。人の場合には、フィードバックシステムが、例えば、生成されてよく、ユーザの（心理）状態に対する閉ざされた空間内のAmbient  Experienceの適応を可能にする。
【００２６】
動きの検出は、簡単なバイナリ検出（ユーザ／オブジェクトが動いているか、又は動いていないか）であってよいが、望ましくは、例えば、動き方向及び／又は速度のような更なる情報を有する。特定の方向における人の動きは、例えば、その人がコンパートメントを出たい又は入りたいと望んでいることを示すことができ、その場合に、動き方向におけるカーテンは格納されるべきである。
【００２７】
動き以外の人の検出された「活動」は、例えば、（定常位置での）労働、読書、又はリラックスであってよい。人又はオブジェクト（例えば、椅子、テーブル、又はカウチ）の位置の決定は、プライマリー・ルーム内のプライバシー・コンパートメントの適切な位置及び大きさを決定するために使用され得る。
【００２８】
一般に、使用の状態が導出され得る情報を提供することができる如何なるセンサも適用され得る。好適な実施形態では、センサは、重量センサ、近接センサ、生理的パラメータのセンサ、無線通信デバイス、ＲＦＩＤ読み取り器、及びカメラを含むグループから選択される少なくとも１つの要素を有してよい（すなわち、センサは、例えば、カメラ及びいくつかの重量センサを有してよい。）。そのようなセンサによれば、特に、ユーザ又はオブジェクトの存在、身元、状態、位置、動き、向き及び／又は活動の上記の検出を実行することが可能である。
【００２９】
人又はオブジェクトの存在は、特に、ＲＦタグ又はアクティブ・バッジを用いて、場合により、ローカル・ポジショニング・システム、超音波又は３Ｄカメラにより、検出されてよい。加えて、又は代替的に、例えば、スマートウォッチ又はスマートフォンのようなモバイルデバイスで実行されるアプリケーションが使用され得る。このアプリケーションによって検出された位置は、例えば、ルーム編制システムのコントローラへ通信されてよい。
【００３０】
人の識別は、例えば、顔認識を可能にするセンサにより、又はスマートカード若しくは同様のものを介して、達成され得る。センサは、プライマリー・ルームにいるか又はその近くの人及びオブジェクトの識別を可能にする（アクティブ又はパッシブ）ＲＦＩＤタグ読み取り器を更に有してよい。
【００３１】
近接センサは、少なくとも１つのカーテンにおいて、それを制御する（例えば、何者かが近くづく場合に、カーテンの格納を開始する）よう配置されてよい。
【００３２】
生理学的パラメータの検知は、心拍、ストレス、呼吸、又は同様のものを測定するためのカメラ技術の使用を任意に有してよい。加えて、又は代替的に、身体に装着される、例えば、活動又は心拍を測定するブレスレット内の（望ましくは、無線式）センサは、１つ以上の生理学的パラメータを測定するために使用され得る。測定された生理学的パラメータは、特に、ユーザの心理状態を推測することを可能にするパラメータであってよい。
【００３３】
編制システム及び方法の更なる発展に従って、ユーザがカーテンの制御に意図的に作用することを可能にする入力デバイスが設けられてよい。このように、カーテンの展開又は格納は、たとえそのような動作が検出信号に基づき自動的に命じられないとしても、ユーザによって起動され得る。更には、入力デバイスによって与えられるコマンドは、検出信号に基づく自動制御に優先して、ユーザ入力に最も高い優先度を与えることができることが望ましい。入力デバイスは、例えば、コントローラと無線により通信することができるリモートコントロールを有してよい。そのようなリモートコントロールは、それ自体のデバイスであっても、又はアプリケーションプログラムが実行されるパーソナルモバイルデバイス、例えば、関連するアプリケーションを有する携帯電話機若しくはタブレットであってもよい。入力デバイスの他の実施形態は、ボイス・コントロール又はジェスチャ・コントロールを有してよい。例えば、上下の手の動き及び指示ジェスチャのようなジェスチャは、カメラによって検出され、コントローラによって評価されてよい。好適な実施形態では、前もってプログラムされた設定は、入力デバイスにより起動されてよい（すなわち、ユーザは、夫々の個々のカーテンの展開を明示的に制御する必要はなく、例えば、いくつかのメニュー項目から選択され得る。）。加えて、又は代替的に、個人プログラム又は設定が入力デバイスからコントローラにアップロードされてよい。
【００３４】
加えて、又は代替的に、ユーザは、例えば、空間の輪郭をマークするオブジェクトを床に置くことによって、入力をコントローラに提供してよい。次いで、カーテンは、その空間（例えば、プログラム）を達成するよう展開してよい。オブジェクト並びにそれらの位置及び／又は向きは、例えば、カメラシステムにより検出され得る。
【００３５】
１つ以上のカーテンに加えて、他の構成要素も、プライマリー・ルームの使用の検出された状態に応じて制御され得る。特に、光源、音響システム、画像投影システム、空調、芳香放出、及び触覚フィードバックのうちの１つは、検出された使用の状態に応じて制御されるよう設けられてよい（例えば、複数のそのような光源及び音響システムが存在してよい。）。
【００３６】
上記の光源に関して、少なくとも１つの個々に制御可能な光源は、プライマリー・ルームにおいてカーテンを展開することによって生成され得るコンパとメントごとに設けられ、その個々の照明を可能にする。望ましくは、光源の輝度及び／又は色は制御可能である。更には、光源は、他の場所にも配置され得るが、通常は、プライマリー・ルームの天井に取り付けられる。
【００３７】
上記の画像投影システムは、望ましくは、展開されたカーテンへの画像の投影を可能にするように配置されてよい。このように、例えば、リラックス環境のような特定のテーマを持ったコンパートメントが生成され得る。
【００３８】
空調は、一般に、温度、気流、湿度及び／又はその他機構に関連した関心のあるパラメータの変更及び／又は適応を可能にする如何なる手段も有してよい。
【００３９】
触覚フィードバックは、例えば、床において及び／又は気流を介して提供されてよい。
【００４０】
更には、例えば、ＬＥＤのような光源は、テーマを表現するようカーテンにおいて埋め込まれてよい。加えて、又は代替的に、カーテンは、双方向性のためのタッチセンサ及び／又は埋込型スピーカを有してよい。
【００４１】
好適な実施形態では、プライマリー・ルームにおける（少なくとも１つの）コンパートメントの生成は、ウェルネス及び／又はリラクゼーションの状態を提供してよい。
【００４２】
本発明は、住居環境において、病院において、職場において、展示会で、店舗において、レストランにおいて、劇場において、又は他の公共空間において領域を形作る上記のルーム編制システムの使用に更に関係がある。全てのそのような場合において、それは、より大きい部屋の１つ以上のコンパートメントが所望の特定の使用に基づき自動的に分離され得る場合に有利である。より詳細には、次の適用が可能である。
【００４３】
病院環境では、検査室において、ルーム編制システムは、現在使用されている現在のカーテンシステムに対して、より柔軟な、有効な且つインテリジェントな代替案を提供することができる。プロシージャ、又は患者を検査しているスタッフに応じて、カーテンは、必要なプライバシー及び作業条件を与える空間を作り出すことができる。
【００４４】
また、病院において、システムは、回復エリア、術前待機エリア、患者病棟又は緊急／救急処置室で使用され得る。病院内の癌科では、ルーム編制システムは、アクティブ・リラクゼーション又は鎮静室を作り出すために使用され得る。
【００４５】
本原理は、例えば、睡眠障害センター（睡眠ラボ）においてリラックス空間を作り出すために適用され得る。ある睡眠治療のために、人々は、如何にしてリラックスし、くつろぐかを学習する必要がある。ルーム編制システムは、このための空間を、特別の照明とともに提供することができる。
【００４６】
買い物環境では、システムは、製品が展示され、客によって体験され得るショーケース領域を作り出す柔軟な方法を提供する。また、人々の存在に基づき、この空間は、製品（例えば、自動車）を体験するための最適な環境をもたらすよう自身を構成してよい。
【００４７】
衣料品店では、更衣室は、新しい衣服を試着するための最善の雰囲気を提供する動的な光を動的なサイズ変更可能な空間に提供することによって、本発明から恩恵を受けうる。
【００４８】
また、店舗では、システムは、群集モニタリングシステム（例えば、カメラを使用する。）へリンクされ得る。人々の流れを添付の特定の部分に制限するよう、システムは、カーテンを用いて空間を（自動的に）適応させることができる。
【００４９】
また、カーテンの挙動は、製品の可動式ディスプレイユニットへリンクされてよい。それらが動く場合に、天井光及びカーテンは、ディスプレイユニットの周囲に環境を作り出すよう適応することができる。また、カーテンは、どの金銭出納器が精算のために開いているかを示してよい。
【００５０】
レストランやバーなどでは、システムは、例えば、グループのための、更なるプライベート領域を作り出すために使用され得る。また、それほど多くの人々がいない場合にも、カーテンは、より心地良い雰囲気空間を作り出すために下げられてよい。
【００５１】
劇場のステージでは、システムは、芝居において又はパフォーマンスにおいて適用されてよい。また、それはアート・インスタレーションにおいて使用されてよい。
【００５２】
職場では、「オープンオフィス」のフロアプランは、進行中であるプロジェクト、又は一緒に働く若しくはよりプライバシーを持つ必要がある人々に基づき、適応され得る。このように、編制システムは、フレックスワーカーのニーズに適応し、一緒に働く及び／又は集中するためのプライバシー（例えば、ビデオ電話呼び出し又は授乳）及び空間を作り出す。また、デスクの列において、人は、入り込むための“プライベート・バブル”を作り出すことができる。これも（例えば、ビデオ／電話呼び出しのための）更なるプライバシーを与える。
【００５３】
リビングルームでは、そのようなシステムは、例えば、テレビ鑑賞、食事などのための、異なる空間を作り出すために、間仕切りの代わりとして使用され得る。また、映画鑑賞のような活動が行われる場合に、空間は、最良の音響及び画像体験のために大きさが最適化されてよい。
【００５４】
システムは、空港、ミュージアム、学校などのような公共空間において更に適用され得る。それは、人々の量に基づきサイズを変更し、人々の流れを整理する一時的な（待機）空間を作り出したり、テーマ空間を作り出したりするために使用され得る。
【００５５】
また、カーテンは、待ち行列がどこであるか、及び／又は飛行機の入口やチェックイン・デスクがどこであるのか、などを示すために使用され得る。人々を引きつけるよう、カーテンは、それらの上に広告を印刷されてよい。そのようなカーテンの挙動は、人々の動きとリンクされてよい。
【図面の簡単な説明】
【００５６】
本発明のそれら及び他の態様は、以降で記載される実施形態から明らかであり、それらを参照して説明される。
【図１】本発明の第１実施形態に従う編制システムの斜視図を概略的に示す。
【図２】図１の編制システムの上面図を示す。
【図３】他の使用状態における図１の編制システムを示す。
【図４】平行移動及び回転が可能なカーテンの放射状配置を有する編制システムの第２実施形態の上面図を示す。  同じ参照符号又は１００の整数倍だけ異なる符号は、図において、同じか又は類似する構成要素を参照する。
【発明を実施するための形態】
【００５７】
図１は、本発明の実施形態に従うルーム編制システム１００の斜視図を概略的に示す。システムは、所与の「プライマリー・ルーム」１０１において、例えば、住居における、職場における、又は病院における大部屋又はホールにおいて、異なるコンパートメントＡ、Ｂ、Ｃ、・・・を選択的に生成するために使用され得る。プライマリー・ルーム１０１の境界は、破線によって大まかにのみ示されている。プライマリー・ルーム１０１は床１０２及び天井１０３を提供し、それらの間に上記の編制システム１００が配置される。図示されるように、例えば、編制システムは、次の構成要素を有する：
・天井１０３に取り付けられ、コントローラ１４０の制御下で個々に天井１０３から下に床１０２まで延在することができる制御可能なカーテン１１０の組。カーテンは、一様に参照符号“１１０”によって表されている。特定の１つが参照されるべき場合は、この参照符号は、位置を示すシンボルによって増補される（図２を参照。参照符号“１１０Ａｂ”は、例えば、コンパートメントＡの側面“ｂ”に位置するカーテンを表す。）。
・複数の光源１２０。先と同じく、全体的な参照符号“１２０”は、それらの位置を更に示す個々の参照符号（例えば、“１２０Ａ”）と同時に、光源に使用される。光源１２０は天井１０３に取り付けられるよう示されているが、光源の他の配置も可能である。光源１２０は、望ましくは、多色及び／又はＷｉ−Ｆｉ制御であってよい。
・プライマリー・ルーム１０１の現在の及び／又は意図された使用に関係がある検出信号“ｓ”を供給する複数のセンサ（一様に“１３０”と表され、又は個々に“１３０Ａ”などと表される。）。
・上記の検出信号ｓを受信し、検出信号に応じてカーテン１１０の展開及び格納を制御するコマンドｃを発する上記のコントローラ１４０。
【００５８】
編制システム１００の図示されている実施形態は、特に、図２において上面図で別個に表されているグリッド構造を有する。編制システムは、プライマリー・ルームを３×３のセル又はコンパートメントＡ、Ｂ、Ｃ、・・・Ｉのグリッドに細分する（全てのカーテンが展開されている場合）。各コンパートメントの大きさは、例えば、約４．５ｍ×４．５ｍであってよい。個々に制御可能なカーテン１１０は、各コンパートメントの４つの境界“ａ”、“ｂ”、“ｃ”及び“ｄ”の夫々に位置する。２つの隣り合うコンパートメントは、通常は、共通のカーテンを共有する（よって、例えば、コンパートメントＡの背面にあるカーテン１１０Ａｃは、隣接するコンパートメントＤの前面にある“１１０Ｄａ”と表されるカーテンと同じであってよい。）。
【００５９】
人は、２つの接続されたセルに対応するより大きい空間を使用したいと望むことがあり、一方、単一のセルも、複数の人々が同時に個々に環境を使用することを可能にするよう使用され得る。プライマリー・ルームの対応する成形は図１に示されている。図１において、カーテン１１０のいくつかは、２つのセル（Ｉ及びＦ）を有する１つのより大きいコンパートメントと、１つのセルから成る２つのより小さいコンパートメント（Ａ及びＧ）とが生成されるように、天井から下に床まで延在される。展開されたカーテンは、図２において、より明るい色で示されている。ただ１つの他の可能性を述べるよう、空間は、９つ全てのセルから単一のコンパートメントを生成するよう拡大されてよい（外側のカーテンのみを下げる。）。これは、同時に複数の人々によって使用される空間を生成するのに有用であり得る。
【００６０】
カーテン１１０の展開及び格納は、センサ１３０によって供給される検出信号ｓに基づきコントローラ１４０によって自動的に制御される。図示されている例では、床１０２に組み込まれた重量センサ１３０が使用される。特に、１つの重量センサ１３０は、各グリッドセルの床の片に組み込まれてよい（例えば、セルＢにおける重量センサ１３０Ｂ、など）。更には、更なる重量センサがセルの周囲に配置されてよい（図示せず。）。望ましくは、重量センサ１３０は、ユーザＰの存在のみならず動き方向も検出され得るように、方向を検知可能である。各重量センサ１３０は、例えば、中央のサブセンサと、４つの方向における４つの隣接したサブセンサとを有してよい。センサ床は、何者かがどこに立っているのかと、彼／彼女が隣接空間へ移動しているかどうかとを検出することを可能にする。この場合に、関連するカーテンは上がってよい。一般に、システムは、センサ床、近接センサ、（３Ｄ）カメラ（及びビデオプロセッシング）、又は同様のものを有してよく、それによって、人々の活動及び／又は存在は検出され得る。
【００６１】
例えば、図３は、ユーザＰの接近が（例えば、床下にある重量センサによって、又は近接センサによって（図示せず。））検出され、コントローラ１４０を介して、最も近いカーテン１１０Ａａの自動格納を引き起こして、遅れてユーザがコンパートメント（Ａ）に入ることを可能にすることを表す。
【００６２】
図３は、ユーザＰが積極的にコマンドをコントローラ１４０へ送信することを可能にする、例えば、（望ましくは、無線式の）リモートコントロール１５０のような入力デバイスをユーザＰが持ち得ることを更に表す。入力デバイス１５０からのコマンドは、カーテン１１０Ａａの自動制御を無効にし、例えば、その格納を停止させてよい。他のインタラクティブ制御は、空間内に持ち込まれ、（例えば、それらの単純な存在によって、及び／又は特定の信号を発することによって）イベントをトリガするボイス・コントロール又はオブジェクトを有してよい。
【００６３】
更には、プライマリー・ルームの天井に埋め込まれた音響システム１６０が図３では見られる。この音響システムも、望ましくは、検出信号に基づき制御されてよい。加えて、又は代替的に、音響システム又はその部分は、他の場所にも配置されてよく、例えば、床に埋め込まれてよい。
【００６４】
更には、ＬＥＤ光及び／又は音響機能を備えたオブジェクトが、編制システム１００によってカバーされる空間内に持ち込まれてよい。加えて、又は代替的に、物理オブジェクトは、センサ床１０２の上のどこかに置かれ、カーテンがそれを取り囲むよう下がるべき空間をマークしてよい。これは、単に床上に装飾的及び／又は機能的オブジェクトを置くことによって、空間を設計することを可能にする。望ましくは、そのようなオブジェクトの存在及び位置のみならず、オブジェクトの身元又はタイプも決定される。例えば、何者かがプライマリー・ルームにおいてリラックス用の椅子を置く場合に、その椅子は検出され、「リラックス用の椅子」として識別され得、そうすると、カーテンが下がってよく、且つ／あるいは、リラックスするめい想音楽が再生される。あるいは、カウチが空間内に置かれる場合に、明かりは別なふうに適応することができ、全てのカーテンが下がるわけではない。
【００６５】
システム１００の好適な適用において、Ambient  Experience空間は、コンピュータ制御されるカーテンを携行する天井により作り出される。人々の活動又は存在に基づき、環境は、それがよりプライベート且つ個人的な空間を作り出すように自動的に適応してよい。これは、多数の方法において達成される：
・カーテン１１０の挙動は、プライバシーの必要性に適応するよう且つ空間において進行中である活動を助けるよう、より小さい周囲空間を作り出すようなものであってよい。このために、カーテンは、天井から下がり又は天井へ上がり、回転し、レールから適当な位置へ移動し、あるいは、拡張（伸長）してよい。
・空間における天井における及び／又はオブジェクト内の光の効果は、カーテンによって生成される変更された空間に適応されてよい。また、音響は、活動及び空間次元に適応される全体的なAmbient  Experienceを生成するよう然るべく適応されてよい。
【００６６】
心理的なウェルネス及び関連目的のために、空間の作用は、人々がストレスを解放するのを支援するリラクゼーション、めい想、律動的／規則的な呼吸運動、などのための雰囲気を作り出すことができる。これは、空間内の人々の存在及び活動によってトリガ及び／又は適応される（カーテン挙動、光、及び／又は音響の）前もってプログラムされたAmbient  Experience挙動であってよい。
【００６７】
よって、編制システム１００は、人々の必要なプライバシーに適応するようAmbient  Experience環境に適応する新しい方法を提供する。カーテンは、空間の大きさを、その空間内の１人以上の人の活動に基づき画定し直すために使用される。適応性のある方法において、カーテンは、（空間を大きくするために）上げられ、あるいは、（より小さい空間を作り出すために）下がってよい。
【００６８】
本発明の他の実施形態では、カーテンは、展開（天井から下がる。）及び格納するのみならず、平行移動、回転及び／又は伸長されてもよい。図４は、カーテン２１０が上げ下げに加えて（図面に直交する垂直軸に関して）回転もすることができる編制システム２００の例を表す。図示されている状態では、カーテン２１０は、プライマリー・ルーム２０１における内部コンパートメント（例えば、近接センサ２３０を装備されている。）に関して容易に配置される。一般に、カーテン２１０は、天井から下がり、且つ／あるいは、レールシステムにわたって横から動くことができる。
【００６９】
既に上述されたように、空間はその大きさをカーテンにより適応させるのみならず、天井における光の効果及び／又はオーディオも、人々がリラックスし、めい想し、律動的／規則的な呼吸運動を行うことができる心理的ウェルネス空間を作り出すよう適応させることが可能である。よって、空間は、ストレス解放／ストレス防止及び治療並びにリラクゼーションについて人々を助けるようオーディオ及び明かりとともに全体的なAmbient  Experienceを含む。更には、プロジェクタ又は壁面照明カラー光源は、カーテンに投影するよう天井内に埋め込まれてよい。これは、空間のテーマ及び印象を容易に変更するのに有用であり得る。一般に、雰囲気を高めることができる如何なるアクチュエータも、例えば、気流制御（例えば、空調、冷暖房／通気）、芳香放出、触覚フィードバック（例えば、床における又は気流を介する）、又は湿度制御のような更なる例を含め、システムに加えられ得る。
【００７０】
要約すると、人々の必要なプライバシーに適応するようAmbient  Experience環境を適応させる方法が記載されてきた。カーテンは、空間の大きさを、その空間内の１人以上の人の活動に基づき画定し直すよう使用される。適応性のある方法において、カーテンは、（空間を大きくするために）上げられ、あるいは、（より小さい空間を作り出すために）下がることができる。人々の存在は、例えば、床にある重量センサによって、又はカメラ及びビデオ処理を介して、検出され得る。これに加えて、挙動は、空間が人の周囲で自身を変形して、個人的なプライベート空間を生成するようにプログラムされ得、光及び音響を伴う提示されるAmbient  Experienceは然るべく適応してよい。提案されるアプローチは、人の周囲の空間がそのサイズ及び形において適応され得るので、利点を提供する。
【００７１】
本発明は、住居環境だけでなくヘルスケア環境でも、例えば、患者が医療走査プロシージャを受ける空間において、あるいは、時々プライベート空間が必要とされる病院内の緊急治療室において、あるいは、プライバシーが臨機応変に必要とされる患者病棟において、適用され得る。他の用途は、展示会及び展示会場にあってよい。展示会主催者のために、彼らが提供する空間は上記のシステムを含んでよい。別の出展者のために、空間は、その場合に、彼らの（商業上の）目的のために適当な雰囲気を生成するよう容易にカスタマイズされ得る。
【００７２】
更には、本発明は、より柔軟に空間を使用する必要性が大いにある店舗において、例えば、衣料品店において使用されてよい。変化する空間は、例えば、顧客のニーズに基づき容易に生成又は実現されてよい。店舗内の提案が変化する場合にも、システムは、異なる衣服のための半閉鎖的な区画を生成するために、又は人々の量に基づきルートを（カーテンにより）変更するために、使用され得る。
【００７３】
本発明は、図面及び上記の説明において詳細に図示及び記載されてきたが、そのような図示及び記載は、限定ではなく例示又は説明であると見なされるべきである。本発明は、開示されている実施形態に制限されない。開示されている実施形態に対する他の変形例は、図面、本開示、及び添付の特許請求の範囲の検討から、請求されている発明を実施する際に当業者によって理解、達成され得る。特許請求の範囲において、語「有する（comprising）」は他の要素又はステップを除外しない。単数（a又はan）は複数を除外しない。単一のプロセッサ又は他のユニットは、特許請求の範囲で挙げられている複数の項目の機能を満たしてよい。特定の手段が相互に異なった従属項で挙げられているという単なる事実は、それらの手段の組み合わせが有利に使用され得ないことを示すものではない。コンピュータプログラムは、他のハードウェアとともに又はその部分として供給される、例えば、光記憶媒体又はソリッドステート媒体のような適切な媒体において記憶／分配されてよいが、例えば、インターネット又は他の有線若しくは無線電気通信システムを介するといった、他の形態でも分配されてよい。特許請求の範囲における如何なる参照符号も、適用範囲を制限するものとして解釈されるべきではない。
【図１】
2016529422.tif 000003
【図２】
2016529422.tif 000004
【図３】
2016529422.tif 000005
【図４】
2016529422.tif 000006
【国際調査報告】
2016529422.tif 000007
2016529422.tif 000008
2016529422.tif 000009